(57)【要約】【課題】長期間設置しても動作不良を起こすことがなく、捕獲した動物によっても破壊されにくい極めて簡単な機構による動物捕獲用檻を提供すること。【解決手段】入口１１，１２を正面と背面に設けた檻本体１０と、各入口１１，１２を開閉する上下動可能な落下扉２０，３０とを有する動物捕獲用檻において、各入口１１，１２の上方に設けた上桟１４に天秤４０を吊り下げ、この天秤４０の一端に落下扉２０，３０を係止するとともに天秤４０の他端に係止具５０を係止し天秤４０を平衡状態とすることによって、各落下扉２０，３０を各入口１１，１２の上方に位置させるようにした。そして、係止具５０には、檻本体１０の底部近傍に張設した動物検知用紐７０を連結し、動物検知用紐７０を引っ掛けることによって、係止具５０が天秤４０の他端から外れて天秤４０の平衡状態がくずれ、各落下扉２０，３０が天秤４０の一端から外れて同時に落下するようにした。【選択図】    図１
2005052005.tif 000002
【特許請求の範囲】
【請求項１】
入口を正面と背面に設けた檻本体と、各入口を開閉する上下動可能な落下扉とを有する動物捕獲用檻において、
各入口の上方に設けた上桟に天秤を吊り下げ、この天秤の一端に落下扉を係止するとともに天秤の他端に係止具を係止し天秤を平衡状態とすることによって、各落下扉を前記各入口の上方に位置させるようにし、
前記係止具には、前記檻本体の底部近傍に張設した動物検知用紐を連結し、前記動物検知用紐を引っ掛けることによって、係止具が前記天秤の他端から外れて天秤の平衡状態がくずれ、各落下扉が天秤の一端から外れて同時に落下するようにしたことを特徴とする動物捕獲用檻。
【請求項２】
前記係止具は、前記上桟と前記檻本体の上面との間に張設されたガイド紐に取り付けられ、前記ガイド紐に沿って移動可能なものである請求項１に記載の動物捕獲用檻。
【発明の詳細な説明】
【０００１】
【発明の属する技術分野】
本発明は、猪、猿、熊、鹿等の有害動物を捕獲するための動物捕獲用檻に関する。
【０００２】
【従来の技術】
近年、山林の伐採などによって、餌場を失った野生動物が農作物を目当てに、人里近くに出没して田畑に被害を与えたり、また、驚いた動物が人に危害を及ぼすこともあり、社会問題となっている。このように、人里近くに出没する野生動物による上記のような被害を未然に防止するために、野生動物の捕獲が行われている。
【０００３】
このような野生動物の捕獲には、様々な捕獲用の檻や罠が用いられており、例えば特許文献１には、猪の捕獲用檻が開示されている。この特許文献１に記載の猪の捕獲用檻は、入口となるドアを正面側と背面側に設けたもので、両ドアはワイヤー端に設けた係止部を檻本体に設けた係止具に係止させることによって吊り上げられており、猪等が檻の底付近に張設した紐を引っ掛けることで係止具が解除され、両ドアがほぼ同時に落下するように構成したものである。具体的には係止具として、檻本体に軸支して回転可能としたものが使用され、この係止具の両端にワイヤー端の係止部を係止させ、さらに、係止具に形成した溝又は穴にピンを嵌め、そして檻の底付近に張設した紐をピンに連結してセットし、紐を引っ掛けることでピンが外れて係止具が解除されるようになっている。
【０００４】
【特許文献１】
特開２０００−３３３５８６号公報
【０００５】
【発明が解決しようとする課題】
しかし、この特許文献１に記載の猪の捕獲用檻では、ドアを吊り上げているワイヤー端に設けた係止部を係止する係止具が檻本体に設けられているため、捕獲した猪が暴れると、その係止具が破壊されて次回以降使用できなくなるという問題が発生する。さらに、特許文献１における係止具は、檻本体に軸支して回転させるという機械運動機構を採用しているため、設置後、長期間を経過すると、軸支部分で錆が発生するなどして動作不良を起こすという問題もある。
【０００６】
そこで、本発明が解決しようとする課題は、長期間設置しても動作不良を起こすことがなく、捕獲した動物によっても破壊されにくい極めて簡単な機構による動物捕獲用檻を提供することにある。
【０００７】
【課題を解決するための手段】
本発明は、入口を正面と背面に設けた檻本体と、各入口を開閉する上下動可能な落下扉とを有する動物捕獲用檻において、各入口の上方に設けた上桟に天秤を吊り下げ、この天秤の一端に落下扉を係止するとともに天秤の他端に係止具を係止し天秤を平衡状態とすることによって、各落下扉を前記各入口の上方に位置させるようにしたものである。そして、前記係止具には、前記檻本体の底部近傍に張設した動物検知用紐を連結し、前記動物検知用紐を引っ掛けることによって、係止具が前記天秤の他端から外れて天秤の平衡状態がくずれ、各落下扉が天秤の一端から外れて同時に落下するようにしたことを特徴とするものである。
【０００８】
このように、本発明は各入口の上方の上桟に吊り下げた天秤に落下扉及び係止具を係止するという極めて簡単な構成であり、機械運動機構を使っていないので、長期間設置しても動作不良を起こすことはない。また、天秤は、入口の上方の上桟に吊り下げられており、檻本体内には位置していないので、捕獲した動物によって破壊されることもない。
【０００９】
さらに、本発明では、係止具を、上桟と檻本体の上面との間に張設されたガイド紐に取り付け、ガイド紐に沿って移動可能なものとすることが好ましい。
【００１０】
これによって、天秤から外れた係止具はガイド紐の張設範囲内に留まるので紛失することがなく、次に天秤に係止させる作業も容易となる。また、ガイド紐は上桟と檻本体の上面との間に張設されているので、天秤から外れた係止具が檻本体内に入り込むことがなく、捕獲した動物によって破壊されることもない。
【００１１】
【発明の実施の形態】
以下、本発明の動物捕獲用檻を猪の捕獲用檻として適用した実施例によって、本発明の実施の形態を説明する。
【００１２】
図１は、本発明の動物捕獲用檻の実施例を示し、（ａ）は正面図、（ｂ）は側面図である。
【００１３】
同図に示す動物捕獲檻は、檻本体１０と、この檻本体１０の正面と背面に設けた入口１１、１２をそれぞれ開閉する鋼製金網製の落下扉２０、３０とを有している。
【００１４】
檻本体１０は、公称直径１０ｍｍの鉄筋コンクリート用棒鋼を溶接して直方体の形状に形成されたものであり、正面の入口１１の両側端には、一対の支柱１３が入口１１の上方に突き出すように立設されており、その上端には、上桟１４が架け渡されている。そして、支柱１３には一対のガイドレール１５が設けられており、このガイドレール１５に沿って落下扉２０が上下動して入口１１を開閉するようになっている。
【００１５】
背面の入口１２側の構成は、正面の入口１１側の構成と同一であるので、同一の構成には同一の符号を付してその詳細な説明は省略するが、背面の入口１２側では、ガイドレール１５に沿って落下扉３０が上下動して入口１２を開閉するようになっている。
【００１６】
次に、落下扉２０、３０によって入口１１、１２を開閉する機構について説明する。落下扉２０と落下扉３０の開閉機構は同一であるので、落下扉２０の開閉機構を例として説明する。図２は、落下扉２０の開閉機構の要部を示す斜視図であって、（ａ）は落下扉２０が入口１１の上方に位置して入口１１を開放している状態を示し、（ｂ）は落下扉２０が落下して入口１１が閉止されている状態を示す。
【００１７】
図１及び図２に示すように、入口１１上方の上桟１４には天秤４０が吊り下げられており、図２（ａ）に明確に示されているように、天秤４０の一端に落下扉２０の上端が係止されるとともに天秤４０の他端に係止具５０が係止されている。これによって、天秤４０は平衡状態となり、落下扉２０は入口１１の上方に位置し、入口１１は開放された状態となる。
【００１８】
係止具５０は、短尺のパイプ状に形成されており、その中空部５０ａに天秤４０の他端が挿入され係止されるようになっている。また、係止具５０は、上桟１４の中央部と檻本体１０の上面中心部との間に張設されたガイド紐６０に挿通させており、このガイド紐６０に沿って、その長さの範囲内で移動可能となっている。
【００１９】
さらに、係止具５０には、動物検知用紐７０の一端が連結されている。動物検知用紐７０の他端は、図１に示すように、檻本体１０の底面から１０ｃｍ程度の位置で、檻本体１０の一方の側面に固定されている。そして、この動物検知用紐７０は、檻本体１０の他方の側面に向けて張設され、さらにその側面に沿って上方に延ばされて檻本体１０の上面中心部まで到達するように張設されている。この動物検知用紐７０は檻本体１０の上面中心部で二股に分岐され、その端部がそれぞれ、正面側と背面側の係止具５０に連結されている（図１（ｂ）参照）。
【００２０】
このような構成において、檻本体１０に配置した餌を狙って侵入した猪が動物検知用紐７０を引っ掛けると、動物検知用紐７０の端部に連結されている係止具５０が図２（ａ）において斜め左下方に引っ張られ、係止具５０が天秤４０の他端から外れる。これによって、天秤４０の平衡状態がくずれ、天秤４０の他端が上方に跳ね上がる。これにともない、天秤４０の一端に係止していた落下扉２０が天秤４０の一端から外れて自重によって落下し入口１１が閉止される。
【００２１】
一方、入口１２側の落下扉３０の開閉機構は、上述した落下扉２０の開閉機構と全く同一であり、その構成部材は対称に配置されている。すなわち、檻本体１０の上面中心部から分岐した動物検知用紐７０の端部が係止具５０に連結されており、その位置関係及び分岐した動物検知用紐７０の長さは、上述した落下扉２０の開閉機構と同一である。したがって、猪の侵入によって動物検知用紐７０が引っ掛けられると、背面側の落下扉３０も正面側の落下扉２０と同時に落下する。
【００２２】
落下扉２０、３０が落下した後、天秤４０の他端から外れた係止具５０は、跳ね飛ばされることなくガイド紐６０に沿って檻本体１０の上面中心部まで下降する。このように、係止具５０は落下扉２０、３０が落下した後は、檻本体１０の上面中心部に位置するので、係止具５０を紛失することはなく、捕獲した猪によって破壊されることもない。
【００２３】
一方、落下扉２０、３０が落下した後の天秤４０は、図２（ｂ）に示すように上桟１４に単に吊り下げられた状態となる。したがって、天秤４０についても紛失することはなく、捕獲した猪によって破壊されることもない。
【００２４】
捕獲した猪を処分した後、再度、落下扉２０、３０を上げて入口１１、１２を開放する際は、落下扉２０、３０をガイドレール１５に沿って持ち上げ、天秤４の一端に係止させるとともに、係止具５０をガイド紐６０に沿って天秤４０の他端近傍まで上昇させて天秤４０の他端に係止させ、天秤４０が平衡状態となるようにすればよい。
【００２５】
【発明の効果】
本発明は、檻本体の各入口上方の上桟に吊り下げた天秤に落下扉及び係止具を係止するという極めて簡単な構成であり、機械運動機構を使っていないので、長期間設置しても動作不良を起こすことはない。また、天秤は、入口上方の上桟に吊り下げられており、檻本体内には位置していないので、捕獲した動物によって破壊されることもない。
【００２６】
したがって、屋外に長期間設置される動物捕獲用檻として非常に有用なものとなる。
【図面の簡単な説明】
【図１】本発明の動物捕獲用檻の実施例を示す図である。
【図２】図１における落下扉の開閉機構の要部を示す斜視図である。
【符号の説明】
１０  檻本体
１１、１２  入口
１３  支柱
１４  上桟
１５  ガイドレール
２０、３０  落下扉
４０  天秤
５０  係止具
５０ａ  中空部
６０  ガイド紐
７０  動物検知用紐
【図１】
2005052005.tif 000003
【図２】
2005052005.tif 000004